【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
画像を所定のカテゴリーに分類する画像分類部と、
前記画像を前記分類に応じた仮想空間におけるアイテム上に表示し、かつ、前記画像の鑑賞者を表すアバターを前記仮想空間内に表示する表示部と、
前記仮想空間内で前記アバターを移動させるためのアバター制御部と、
前記アイテムと前記アバターとの前記仮想空間内における相対的な位置関係に応じて前記画像の表示態様を変化させる表示制御部と、
を備えたことを特徴とする画像表示装置。
【請求項２】
前記表示制御部は、前記アバターが前記アイテムに近づくと前記画像を拡大する表示制御と、前記アパターが前記アイテムに近づいても前記画像を拡大しない表示制御を行うことを特徴とする請求項１に記載の画像表示装置。
【請求項３】
前記仮想空間は、入口部を有し、
前記表示制御部は、さらに、前記アイテムを前記所定のカテゴリーに応じて前記仮想空間内の前記入口部から見える位置、または見えない位置に配置して表示する機能を有するものであることを特徴とする請求項１に記載の画像表示装置。
【請求項４】
前記表示制御部は、さらに、前記アイテムを前記所定のカテゴリーに応じた大きさで前記仮想空間内に表示する機能を有するものであることを特徴とする請求項１に記載の画像表示装置。
【請求項５】
前記画像分類部は、少なくとも前記画像をプライベートな画像とそれ以外の画像に分類するものであり、前記表示制御部は、前記画像がプライベートな画像に属しない画像を表示するときはプライベートな画像を表示するときに比べ大きく表示することを特徴とする請求項４に記載の画像表示装置。
【請求項６】
画像を所定のカテゴリーに分類するステップと、
前記画像を前記分類に応じた仮想空間におけるアイテム上に表示し、前記画像の鑑賞者を表すアバターを前記仮想空間内に表示するステップと、
前記仮想空間内で前記アバターを移動させるステップと、
前記アイテムと前記アバターとの前記仮想空間内における相対的な位置関係に応じて前記画像の表示態様を変化させるステップと、
を備えたことを特徴とする画像表示方法。
【請求項７】
アバター像と鑑賞画像を仮想空間の背景中に合成表示する画像表示装置において、
前記仮想空間中において、前記アバター像と前記鑑賞画像の相対的距離に応じて、前記鑑賞画像が小さいままで前記アバターの影に隠れる第１表示モードと、前記鑑賞画像が前記アバター画像よりも大きく表示される第２表示モードのいずれかで表示する画像合成表示部と、
を備えることを特徴とする画像表示装置。
【請求項８】
前記鑑賞画像には、分類情報が添付されており、前記画像合成表示部は、前記分類情報に基づいて、前記第１表示モードで表示されるか、前記第２表示モードで表示されるかを決定することを特徴とする請求項７に記載の画像合成表示装置。
【請求項９】
アバター像と鑑賞画像を仮想空間の背景中に合成表示する画像表示装置において、
前記仮想空間中において、前記アバター像と前記鑑賞画像が相対的に近づくと、前記鑑賞画像が画像再生される第１の表示モードと、前記アバター像がさらに近づいても前記鑑賞画像が小さいままで前記アバター像に隠れる第２の表示モードと、前記鑑賞画像が拡大され、前記アバター像よりも大きく表示される第３の表示モードのうちの少なくとも２つの表示モードを、前記鑑賞画像の前記仮想空間の室内の位置に応じて、切り替える画像合成切替表示部と、
を備えることを特徴とする画像表示装置。
【請求項１０】
アバター像と鑑賞画像を仮想空間の展示用の室内の背景中に合成表示する画像表示装置において、
前記室内に入るための入り口部と、
前記仮想空間中において、前記アバター像と前記鑑賞画像との相対的距離に応じて、前記鑑賞画像が小さいままで前記アバターの影に隠れる第１表示モードと、前記鑑賞画像が前記アバター画像よりも大きく表示される第２表示モードのいずれかで表示する画像合成表示部と、
を有し、前記画像合成表示部は、前記第１表示モードとなる画像は、前記入り口部から見えない位置に配置することを特徴とする画像表示装置。
【請求項１１】
アバター像と鑑賞画像を仮想空間の展示用の室内の背景中に合成表示する画像表示装置において、
前記室内に入るための入り口部と、
前記仮想空間中において、前記アバター像と前記鑑賞画像との相対的距離に応じて、前記鑑賞画像が画像再生される第１の表示モードと、前記鑑賞画像が前記アバター画像よりも大きく表示される第２表示モードのいずれかで表示する画像合成表示部と、
を有し、前記画像合成表示部は、前記第１表示モードとなる画像は、前記入り口部から見えない位置に配置することを特徴とする画像表示装置。
【手続補正２】
【補正対象書類名】明細書
【補正対象項目名】発明の名称
【補正方法】変更
【補正の内容】
【発明の名称】画像表示装置および画像表示方法
【手続補正３】
【補正対象書類名】明細書
【補正対象項目名】０００１
【補正方法】変更
【補正の内容】
【０００１】
本発明は、画像表示装置および画像表示方法に関し、詳しくは、現実の空間を模した仮想空間にて、そこに画像を展示するに適した画像表示装置および画像表示方法に関する。
【手続補正４】
【補正対象書類名】明細書
【補正対象項目名】０００８
【補正方法】変更
【補正の内容】
【０００８】
本発明は、このような事情を鑑みてなされたものであり、仮想空間上で違和感のない表示方法で画像を表示し、訪問者が不自然さを感じることのない画像表示装置および画像表示方法を提供することを目的とする。
【手続補正５】
【補正対象書類名】明細書
【補正対象項目名】０００９
【補正方法】変更
【補正の内容】
【０００９】
前記目的を達成するため第１の発明に係わる画像表示装置は、画像を所定のカテゴリーに分類する画像分類部と、前記画像を前記分類に応じた仮想空間におけるアイテム上に表示し、かつ、前記画像の鑑賞者を表すアバターを前記仮想空間内に表示する表示部と、前記仮想空間内で前記アバターを移動させるためのアバター制御部と、前記アイテムと前記アバターとの前記仮想空間内における相対的な位置関係に応じて前記画像の表示態様を変化させる表示制御部と、を備える。
【手続補正６】
【補正対象書類名】明細書
【補正対象項目名】００１０
【補正方法】変更
【補正の内容】
【００１０】
第２の発明に係わる画像表示装置は、前記第１の発明において、前記表示制御部は、前記アバターが前記アイテムに近づくと前記画像を拡大する表示制御と、前記アパターが前記アイテムに近づいても前記画像を拡大しない表示制御を行う。
第３の発明に係わる画像表示装置は、前記第１の発明において、前記仮想空間は、入口部を有し、前記表示制御部は、さらに、前記アイテムを前記所定のカテゴリーに応じて前記仮想空間内の前記入口部から見える位置、または見えない位置に配置して表示する機能を有するものである。
【手続補正７】
【補正対象書類名】明細書
【補正対象項目名】００１１
【補正方法】変更
【補正の内容】
【００１１】
第４の発明に係わる画像表示装置は、前記第１の発明において、前記表示制御部は、さらに、前記アイテムを前記所定のカテゴリーに応じた大きさで前記仮想空間内に表示する機能を有するものである。
第５の発明に係わる画像表示装置は、前記第４の発明において、前記画像分類部は、少なくとも前記画像をプライベートな画像とそれ以外の画像に分類するものであり、前記表示制御部は、前記画像がプライベートな画像に属しない画像を表示するときはプライベートな画像を表示するときに比べ大きく表示する。
【手続補正８】
【補正対象書類名】明細書
【補正対象項目名】００１２
【補正方法】変更
【補正の内容】
【００１２】
第６の発明に係わる画像表示方法は、画像を所定のカテゴリーに分類するステップと、前記画像を前記分類に応じた仮想空間におけるアイテム上に表示し、前記画像の鑑賞者を表すアバターを前記仮想空間内に表示するステップと、前記仮想空間内で前記アバターを移動させるステップと、前記アイテムと前記アバターとの前記仮想空間内における相対的な位置関係に応じて前記画像の表示態様を変化させるステップと、を備える。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
第７の発明に係わる画像表示装置は、アバター像と鑑賞画像を仮想空間の背景中に合成表示する画像表示装置において、前記仮想空間中において、前記アバター像と前記鑑賞画像の相対的距離に応じて、前記鑑賞画像が小さいままで前記アバターの影に隠れる第１表示モードと、前記鑑賞画像が前記アバター画像よりも大きく表示される第２表示モードのいずれかで表示する画像合成表示部と、を備える。
【手続補正１５】
【補正対象書類名】明細書
【補正対象項目名】００１９
【補正方法】変更
【補正の内容】
【００１９】
第８の発明に係わる画像表示装置は、前記第７の発明において、前記鑑賞画像には、分類情報が添付されており、前記画像合成表示部は、前記分類情報に基づいて、前記第１表示モードで表示されるか、前記第２表示モードで表示されるかを決定する。
【手続補正１６】
【補正対象書類名】明細書
【補正対象項目名】００２０
【補正方法】変更
【補正の内容】
【００２０】
第９の発明に係わる画像表示装置は、アバター像と鑑賞画像を仮想空間の背景中に合成表示する画像表示装置において、前記仮想空間中において、前記アバター像と前記鑑賞画像が相対的に近づくと、前記鑑賞画像が画像再生される第１の表示モードと、前記アバター像がさらに近づいても前記鑑賞画像が小さいままで前記アバター像に隠れる第２の表示モードと、前記鑑賞画像が拡大され、前記アバター像よりも大きく表示される第３の表示モードのうちの少なくとも２つの表示モードを、前記鑑賞画像の前記仮想空間の室内の位置に応じて、切り替える画像合成切替表示部と、を備える。
【手続補正１７】
【補正対象書類名】明細書
【補正対象項目名】００２１
【補正方法】変更
【補正の内容】
【００２１】
第１０の発明に係わる画像表示装置は、アバター像と鑑賞画像を仮想空間の展示用の室内の背景中に合成表示する画像表示装置において、前記室内に入るための入り口部と、前記仮想空間中において、前記アバター像と前記鑑賞画像との相対的距離に応じて、前記鑑賞画像が小さいままで前記アバターの影に隠れる第１表示モードと、前記鑑賞画像が前記アバター画像よりも大きく表示される第２表示モードのいずれかで表示する画像合成表示部と、を有し、前記画像合成表示部は、前記第１表示モードとなる画像は、前記入り口部から見えない位置に配置する。
【手続補正１８】
【補正対象書類名】明細書
【補正対象項目名】００２２
【補正方法】変更
【補正の内容】
【００２２】
第１１の発明に係わる画像表示装置は、アバター像と鑑賞画像を仮想空間の展示用の室内の背景中に合成表示する画像表示装置において、前記室内に入るための入り口部と、前記仮想空間中において、前記アバター像と前記鑑賞画像との相対的距離に応じて、前記鑑賞画像が画像再生される第１の表示モードと、前記鑑賞画像が前記アバター画像よりも大きく表示される第２表示モードのいずれかで表示する画像合成表示部と、を有し、前記画像合成表示部は、前記第１表示モードとなる画像は、前記入り口部から見えない位置に配置する。
【手続補正１９】
【補正対象書類名】明細書
【補正対象項目名】００２３
【補正方法】変更
【補正の内容】
【００２３】
本発明によれば、仮想空間上で違和感のない表示方法で画像を表示し、訪問者が不自然さを感じることのない画像表示装置および画像表示方法を提供することができる。